(57)【要約】【課題】通知画面を有効活用すること。【解決手段】１つの態様において、電子機器（例えば、スマートフォン１）は、操作部と、情報を通知する通知領域を含む通知画面を表示するディスプレイと、前記操作部を介して作成された作成テキストを前記通知画面に表示させるコントローラとを有する。スマートフォン１は、タッチスクリーン２１を介して、付箋の追加ボタンに対する操作を検出すると、ディスプレイ２に付箋の作成画面を表示させる。作成画面上で文字の入力が行われた後、スマートフォン１は、タッチスクリーン２１を介して、保存ボタンに対する操作を検出すると、作成画面上で入力された文字を含む付箋を貼り付けた通知画面をディスプレイ２に表示する。【選択図】図１
2014068240.tif 000002
【特許請求の範囲】
【請求項１】
操作部と、
情報を通知する通知領域を含む通知画面を表示するディスプレイと、
前記操作部を介して作成された作成テキストを前記通知画面に表示させるコントローラと
を有する電子機器。
【請求項２】
前記コントローラは、前記作成テキストの作成操作を受け付けるための作成画面を前記ディスプレイに表示させる請求項１に記載の電子機器。
【請求項３】
操作部と、情報を通知する通知領域を含む通知画面を表示するディスプレイとを有する電子機器を制御する制御方法であって、
前記操作部を介してテキストの作成を受け付けるステップと、
作成された作成テキストを前記通知画面に表示させるステップと
を含む制御方法。
【請求項４】
操作部と、情報を通知する通知領域を含む通知画面を表示するディスプレイとを有する電子機器に、
前記操作部を介してテキストの作成を受け付けるステップと、
作成された作成テキストを前記通知画面に表示させるステップと
を実行させる制御プログラム。
【発明の詳細な説明】
【技術分野】
【０００１】
本出願は、電子機器、制御方法、及び制御プログラムに関する。
【背景技術】
【０００２】
携帯電話、又はスマートフォンなどの電子機器には、ディスプレイに表示される画面の上部に、ユーザに対して情報を通知するための通知領域を有するものがある（特許文献１、２参照）。この通知領域には、例えば、バックグラウンドで動作するアプリケーションにより提供されるサービスに関する情報などが、アイコンなどを用いて表示される。この通知領域は、ステータスバーなどとも呼ばれることがある。携帯電話、又はスマートフォンなどの電子機器には、ステータスバーに表示される情報の詳細情報を表示するための通知画面を表示させることができるものもある。
【先行技術文献】
【特許文献】
【０００３】
【特許文献１】特開２０１２−１５６７９３号公報
【特許文献２】特開２０１１−１７５６３３号公報
【発明の概要】
【発明が解決しようとする課題】
【０００４】
携帯電話又はスマートフォンなどの電子機器において、上記通知画面を有効活用したいというニーズがある。
【課題を解決するための手段】
【０００５】
１つの態様に係る電子機器は、操作部と、情報を通知する通知領域を含む通知画面を表示するディスプレイと、前記操作部を介して作成された作成テキストを前記通知画面に表示させるコントローラとを有する。
【０００６】
１つの態様に係る制御方法は、操作部と、情報を通知する通知領域を含む通知画面を表示するディスプレイとを有する電子機器を制御する制御方法であって、前記操作部を介してテキストの作成を受け付けるステップと、作成された作成テキストを前記通知画面に表示させるステップとを含む。
【０００７】
１つの態様に係る制御プログラムは、操作部と、情報を通知する通知領域を含む通知画面を表示するディスプレイとを有する電子機器に、前記操作部を介してテキストの作成を受け付けるステップと、作成された作成テキストを前記通知画面に表示させるステップとを実行させる。
【図面の簡単な説明】
【０００８】
【図１】図１は、実施形態１に係るスマートフォンのブロック図である。
【図２】図２は、ディスプレイに表示される通知画面にテキストを作成するときの制御の一例を示す図である。
【図３】図３は、ディスプレイに表示される通知画面にテキストを作成するときの制御の他の例を示す図である。
【図４】図４は、通知画面に表示されている付箋を削除する制御の一例を示す図である。
【図５】図５は、通知画面に表示されている付箋を更新する制御の一例を示す図である。
【図６】図６は、ディスプレイに表示される通知画面にテキストを作成するときの処理手順を示すフローチャートである。
【図７】図７は、通知画面に表示されるテキストを編集するときの処理手順を示すフローチャートである。
【図８】図８は、実行中の文字入力アプリケーションから付箋の作成画面を表示させるときのスマートフォン１による制御の一例を示す図である。
【図９】図９は、実行中の文字入力アプリケーションから付箋の作成画面を表示させるときの処理手順を示すフローチャートである。
【発明を実施するための形態】
【０００９】
本出願に係る電子機器、制御方法、及び制御プログラムを実施するための実施形態を、図面を参照しつつ詳細に説明する。以下では、電子機器の一例として、スマートフォンを取り上げて説明する。
【００１０】
（実施形態１）
図１を参照しながら、実施形態に係るスマートフォン１の機能的な構成について説明する。図１は、実施形態１に係るスマートフォンのブロック図である。以下の説明においては、同様の構成要素に同一の符号を付すことがある。さらに、重複する説明は省略することがある。
【００１１】
図１に示すように、スマートフォン１は、ディスプレイ２と、ボタン３と、照度センサ４と、近接センサ５と、通信ユニット６と、レシーバ７と、マイク８と、ストレージ９と、コントローラ１０と、スピーカ１１と、カメラ１２と、姿勢検出ユニット１５と、バイブレータ１８と、タッチスクリーン２１とを備える。
【００１２】
ディスプレイ２は、液晶ディスプレイ（ＬＣＤ：Ｌｉｑｕｉｄ  Ｃｒｙｓｔａｌ  Ｄｉｓｐｌａｙ）、有機ＥＬディスプレイ（ＯＥＬＤ：Ｏｒｇａｎｉｃ  Ｅｌｅｃｔｒｏ−Ｌｕｍｉｎｅｓｃｅｎｃｅ  Ｄｉｓｐｌａｙ）、又は無機ＥＬディスプレイ（ＩＥＬＤ：Ｉｎｏｒｇａｎｉｃ  Ｅｌｅｃｔｒｏ−Ｌｕｍｉｎｅｓｃｅｎｃｅ  Ｄｉｓｐｌａｙ）等の表示デバイスを備える。ディスプレイ２は、文字、画像、記号、及び図形等を表示する。
【００１３】
ボタン３は、利用者からの操作入力を受け付ける。ボタン３の数は、単数であっても、複数であってもよい。
【００１４】
照度センサ４は、スマートフォン１の周囲光の照度を検出する。照度は、光の強さ、明るさ、又は輝度を示す。照度センサ４は、例えば、ディスプレイ２の輝度の調整に用いられる。
【００１５】
近接センサ５は、近隣の物体の存在を非接触で検出する。近接センサ５は、磁界の変化又は超音波の反射波の帰還時間の変化等に基づいて物体の存在を検出する。近接センサ５は、例えば、ディスプレイ２が顔に近づけられたことを検出する。照度センサ４及び近接センサ５は、一つのセンサとして構成されていてもよい。照度センサ４は、近接センサとして用いられてもよい。
【００１６】
通信ユニット６は、無線により通信する。通信ユニット６によってサポートされる無線通信規格には、例えば、２Ｇ、３Ｇ、４Ｇ等のセルラーフォンの通信規格と、近距離無線の通信規格がある。セルラーフォンの通信規格としては、例えば、ＬＴＥ（Ｌｏｎｇ  Ｔｅｒｍ  Ｅｖｏｌｕｔｉｏｎ）、Ｗ−ＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）、ＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）、ＣＤＭＡ２０００、ＰＤＣ（Ｐｅｒｓｏｎａｌ  Ｄｉｇｉｔａｌ  Ｃｅｌｌｕｌａｒ）、ＧＳＭ（登録商標）（Ｇｌｏｂａｌ  Ｓｙｓｔｅｍ  ｆｏｒ  Ｍｏｂｉｌｅ  Ｃｏｍｍｕｎｉｃａｔｉｏｎｓ）、ＰＨＳ（Ｐｅｒｓｏｎａｌ  Ｈａｎｄｙ−ｐｈｏｎｅ  Ｓｙｓｔｅｍ）等がある。近距離無線の通信規格としては、例えば、ＩＥＥＥ８０２．１１、Ｂｌｕｅｔｏｏｔｈ（登録商標）、ＩｒＤＡ（Ｉｎｆｒａｒｅｄ  Ｄａｔａ  Ａｓｓｏｃｉａｔｉｏｎ）、ＮＦＣ（Ｎｅａｒ  Ｆｉｅｌｄ  Ｃｏｍｍｕｎｉｃａｔｉｏｎ）、ＷＰＡＮ（Ｗｉｒｅｌｅｓｓ  Ｐｅｒｓｏｎａｌ  Ａｒｅａ  Ｎｅｔｗｏｒｋ）等がある。ＷＰＡＮの通信規格には、例えば、ＺｉｇＢｅｅ（登録商標）がある。通信ユニット６は、上述した通信規格の１つ又は複数をサポートしていてもよい。
【００１７】
通信ユニット６は、ＧＰＳ衛星からの所定の周波数帯の電波信号を受信し、受信した電波信号の復調処理を行って、処理後の信号をコントローラ１０に送出する。スマートフォン１は、ＧＰＳ衛星との通信機能を通信ユニット６から分散させて、通信ユニット６から独立した個別の通信部を設けてもよい。
【００１８】
レシーバ７は、音出力部である。レシーバ７は、コントローラ１０から送信される音信号を音として出力する。レシーバ７は、例えば、通話時に相手の声を出力するために用いられる。マイク８は、音入力部である。マイク８は、利用者の音声等を音信号へ変換してコントローラ１０へ送信する。
【００１９】
ストレージ９は、プログラム及びデータを記憶する。ストレージ９は、コントローラ１０の処理結果を一時的に記憶する作業領域としても利用される。ストレージ９は、半導体記憶媒体、及び磁気記憶媒体等の任意の非一過的（ｎｏｎ−ｔｒａｎｓｉｔｏｒｙ）な記憶媒体を含んでよい。ストレージ９は、複数の種類の記憶媒体を含んでよい。ストレージ９は、メモリカード、光ディスク、又は光磁気ディスク等の可搬の記憶媒体と、記憶媒体の読み取り装置との組み合わせを含んでよい。ストレージ９は、ＲＡＭ（Ｒａｎｄｏｍ  Ａｃｃｅｓｓ  Ｍｅｍｏｒｙ）等の一時的な記憶領域として利用される記憶デバイスを含んでよい。
【００２０】
ストレージ９に記憶されるプログラムには、フォアグランド又はバックグランドで実行されるアプリケーションと、アプリケーションの動作を支援する制御プログラムとが含まれる。フォアグランドで実行されるアプリケーションは、例えば、ディスプレイ２に画面が表示される。制御プログラムには、例えば、ＯＳが含まれる。アプリケーション及び制御プログラムは、通信ユニット６による無線通信又は非一過的な記憶媒体を介してストレージ９にインストールされてもよい。
【００２１】
ストレージ９は、例えば、制御プログラム９Ａ、通話アプリケーション９Ｂ、メールアプリケーション９Ｃ、文字入力アプリケーション９Ｄ、付箋アプリケーション９Ｅ、及び設定データ９Ｚなどを記憶する。
【００２２】
制御プログラム９Ａは、スマートフォン１を稼働させるための各種制御に関する機能を提供する。制御プログラム９Ａは、例えば、情報を通知する通知領域を含む通知画面をディスプレイ２に表示させるための機能を提供する。通知画面は、バックグラウンドで実行されるアプリケーションについて、いわゆるステータスバーに通知される情報の詳細情報を、ユーザに通知する通知領域であるお知らせ表示領域が含まれる。
【００２３】
さらに、制御プログラム９Ａは、操作部を介して作成された作成テキストを上記通知画面に表示させる機能を提供する。操作部は、ボタン３、又はタッチスクリーン２１などに該当する。さらに、制御プログラム９Ａは、上記作成テキストの作成操作を受け付けるための作成画面をディスプレイ２に表示させるための機能を提供する。さらに、制御プログラム９Ａは、上記作成テキストの削除または更新を受け付ける編集画面をディスプレイ２に表示させるための機能を提供する。
【００２４】
その他、制御プログラム９Ａは、通信ユニット６などを制御することによって、ＬＴＥ（Ｌｏｎｇ  Ｔｅｒｍ  Ｅｖｏｌｕｔｉｏｎ）、Ｗ−ＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）、ＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）、ＣＤＭＡ２０００、ＰＤＣ（Ｐｅｒｓｏｎａｌ  Ｄｉｇｉｔａｌ  Ｃｅｌｌｕｌａｒ）、ＧＳＭ（登録商標）（Ｇｌｏｂａｌ  Ｓｙｓｔｅｍ  ｆｏｒ  Ｍｏｂｉｌｅ  Ｃｏｍｍｕｎｉｃａｔｉｏｎｓ）、ＰＨＳ（Ｐｅｒｓｏｎａｌ  Ｈａｎｄｙ−ｐｈｏｎｅ  Ｓｙｓｔｅｍ）などを用いた通信を実現させるための機能を提供する。
【００２５】
制御プログラム９Ａは、通信ユニット６などを制御することによって、ＩＥＥＥ８０２．１１、Ｂｌｕｅｔｏｏｔｈ（登録商標）、ＩｒＤＡ（Ｉｎｆｒａｒｅｄ  Ｄａｔａ  Ａｓｓｏｃｉａｔｉｏｎ）、ＮＦＣ（Ｎｅａｒ  Ｆｉｅｌｄ  Ｃｏｍｍｕｎｉｃａｔｉｏｎ）、ＷＰＡＮ（Ｗｉｒｅｌｅｓｓ  Ｐｅｒｓｏｎａｌ  Ａｒｅａ  Ｎｅｔｗｏｒｋ）等を用いた近距離無線通信を実現させるための機能を提供する。
【００２６】
制御プログラム９Ａは、例えば、通信ユニット６及びマイク８などを制御することによって、通話を実現させるための機能を提供する。
【００２７】
制御プログラム９Ａにより提供される機能は、通話を実現させる場合、通話アプリケーション９Ｂ又はメールアプリケーション９Ｃなど、ストレージ９に記憶される他のプログラムなどが提供する機能と組み合わせて利用されることがある。制御プログラム９Ａにより提供される機能は、複数のプログラムモジュールに分割されていてもよいし、他のプログラムと結合されていてもよい。
【００２８】
通話アプリケーション９Ｂは、無線通信による通話のための通話機能を提供する。メールアプリケーション９Ｃは、電子メールの作成、送信、受信、及び表示等のための電子メール機能を提供する。文字入力アプリケーション９Ｄは、例えば、待受状態からテキストエディタを簡易に起動して文字入力を実現するための機能を提供する。待受状態には、ロック画面およびアプリケーションに対応するアイコンの一覧が表示される画面などがディスプレイ２に表示されている状態が含まれる。付箋アプリケーション９Ｅは、テキストの作成を受け付けるための作成画面、及びテキストの削除または更新を受け付ける編集画面を構成するための機能を提供する。ストレージ９に記憶されるアプリケーションは一例に過ぎない。図１に示すもの以外に、ブラウザアプリケーション、ナビゲートアプリケーション、音楽プレイヤーアプリケーション、動画再生アプリケーション、計算機アプリケーション、メモ帳アプリケーションなどが記憶されていてもよい。
【００２９】
設定データ９Ｚは、スマートフォン１の動作に関連する各種の設定及び処理に関する情報を含む。
【００３０】
コントローラ１０は、演算処理装置である。演算処理装置は、例えば、ＣＰＵ（Ｃｅｎｔｒａｌ  Ｐｒｏｃｅｓｓｉｎｇ  Ｕｎｉｔ）、ＳｏＣ（Ｓｙｓｔｅｍ−ｏｎ−ａ−ｃｈｉｐ）、ＭＣＵ（Ｍｉｃｒｏ  Ｃｏｎｔｒｏｌ  Ｕｎｉｔ）、及びＦＰＧＡ（Ｆｉｅｌｄ−Ｐｒｏｇｒａｍｍａｂｌｅ  Ｇａｔｅ  Ａｒｒａｙ）を含むが、これらに限定されない。コントローラ１０は、スマートフォン１の動作を統括的に制御して各種の機能を実現する。
【００３１】
具体的には、コントローラ１０は、ストレージ９に記憶されているデータを必要に応じて参照しつつ、ストレージ９に記憶されているプログラムに含まれる命令を実行する。そして、コントローラ１０は、データ及び命令に応じて機能部を制御し、それによって各種機能を実現する。機能部は、例えば、ディスプレイ２、通信ユニット６、マイク８、及びスピーカ１１を含むが、これらに限定されない。コントローラ１０は、検出部の検出結果に応じて、制御を変更することがある。検出部は、例えば、ボタン３、照度センサ４、近接センサ５、マイク８、カメラ１２、姿勢検出ユニット１５、及びタッチスクリーン２１を含むが、これらに限定されない。
【００３２】
コントローラ１０は、制御プログラム９Ａを実行することにより、情報を通知するための通知領域を含む通知画面をディスプレイに表示させる処理を実現する。具体的には、コントローラ１０は、例えば、ユーザによるタッチジェスチャを検出すると、通知画面をディスプレイ２に表示する。コントローラ１０は、どのような画面がディスプレイに表示されている場合であっても、通知画面を呼び出してディスプレイ２に表示させることができる。コントローラ１０は、例えば、いわゆるホーム画面をディスプレイ２に表示しているときに、ユーザによるタッチジェスチャの検出に応じて、上記通知画面を呼び出してディスプレイに表示させることができる。さらに、コントローラ１０は、例えば、メールアプリケーション、ブラウザアプリケーション、マップ並びにスケジューラなどに対応するアプリケーション画面をディスプレイ２に表示しているときに、ユーザによるタッチジェスチャの検出に応じて、上記通知画面を呼び出してディスプレイ２に表示させることができる。さらに、コントローラ１０は、スマートフォン１がロック状態にある場合にディスプレイ２に表示される、いわゆるロック画面がディスプレイ２に表示されている場合であっても、上記通知画面を呼び出してディスプレイ２に表示させることができる。上記通知画面を呼び出してディスプレイ２に表示させることができる。ロック状態には、単に、ユーザの操作を受け付けない状態だけでなく、セキュリティロック状態を含んでもよい。通知画面には、バックグラウンドで実行されるアプリケーションについて、いわゆるステータスバーに通知される情報の詳細情報を、ユーザに通知するための通知領域であるお知らせ領域を含む。
【００３３】
さらに、コントローラ１０は、制御プログラム９Ａを実行することにより、操作部を介して作成された作成テキストを上記通知画面に表示させる処理を実現する。操作部は、ボタン３、又はタッチスクリーン２１などに該当する。これにより、スマートフォン１は、いわゆるホーム画面、アプリケーション画面、並びに、いわゆるロック画面がディスプレイ２に表示されている場合であっても、上記作成テキストを含む通知画面をディスプレイ２に表示させることができるようになる。さらに、コントローラ１０は、制御プログラム９Ａを実行することにより、上記作成テキストの作成操作を受け付けるための作成画面をディスプレイ２に表示させる処理を実現する。さらに、コントローラ１０は、制御プログラム９Ａを実行することにより、上記作成テキストの削除または更新を受け付ける編集画面をディスプレイ２に表示させる処理を実現する。
【００３４】
スピーカ１１は、音出力部である。スピーカ１１は、コントローラ１０から送信される音信号を音として出力する。スピーカ１１は、例えば、着信音及び音楽を出力するために用いられる。レシーバ７及びスピーカ１１の一方が、他方の機能を兼ねてもよい。
【００３５】
カメラ１２は、撮影した画像を電気信号へ変換する。カメラ１２には、例えば、ディスプレイ２に面している物体を撮影するインカメラ、ディスプレイ２の反対側の面に面している物体を撮影するアウトカメラが含まれる。
【００３６】
姿勢検出ユニット１５は、スマートフォン１の姿勢を検出する。姿勢検出ユニット１５は、姿勢を検出するために、加速度センサ、方位センサ、及びジャイロスコープの少なくとも１つを備える。
【００３７】
バイブレータ１８は、スマートフォン１の一部又は全体を振動させる。バイブレータ１８は、振動を発生させるために、例えば、圧電素子、又は偏心モータなどを有する。バイブレータ１８による振動は、着信等の各種のイベントを利用者に報知するために用いられる。
【００３８】
タッチスクリーン２１は、タッチスクリーン２１に対する接触を検出する。コントローラ１０（スマートフォン１）は、タッチスクリーン２１によって検出される接触に基づいて、指、スタイラス、ペン等（以下、単に「指」という）を用いてタッチスクリーン２１に対して行われる各種操作（ジェスチャ）を検出する。例えば、タッチスクリーン２１は、タッチセンサを有する。タッチセンサは、タッチスクリーン２１への指の接触を、接触された場所のタッチスクリーン２１上での位置とともに検出し、コントローラ１０に通知する。コントローラ１０が、タッチスクリーン２１を介して検出する各種操作（ジェスチャ）には、例えば、タッチ、ロングタッチ、リリース、スワイプ、タップ、ダブルタップ、ロングタップ、ドラッグ、フリック、ピンチイン、及びピンチアウトが含まれるがこれらに限定されない。タッチスクリーン２１の検出方式は、静電容量方式、抵抗膜方式、表面弾性波方式（又は超音波方式）、赤外線方式、電磁誘導方式、及び荷重検出方式等の任意の方式でよい。図１に示すように、ディスプレイ２と、タッチスクリーン２１とは機能的には分離したものであるが、物理的にはタッチスクリーンディスプレイとして統合されていてよい。
【００３９】
図１に示したスマートフォン１の機能構成は例であり、本発明の要旨を損なわない範囲において適宜変更してよい。
【００４０】
図２〜図５を用いて、通知画面にテキストを表示させるときのスマートフォン１による制御の一例について説明する。以下では、通知画面に表示させるテキストを「付箋」と表記する場合がある。図２〜図５に登場するＦ１は、ユーザの指を示す。以下の説明において、単に、「操作」と表記するものについては、タッチ、タップ、スワイプ、ダブルタップなど、他の処理との対応付けが重複しない限り、どのような操作を検出対象としてもよい。以下では、いわゆるロック画面がディスプレイ２に表示されている場合の制御の例について説明するが、いわゆるホーム画面、あるいはアプリケーション画面がディスプレイ２に表示されている場合であっても、同様の制御を実現できる。
【００４１】
図２は、ディスプレイ２に表示される通知画面にテキストを作成するときの制御の一例を示す図である。図２に示すように、スマートフォン１は、ディスプレイ２にロック画面４０を表示している（ステップＳ１１）。ロック画面４０は、スマートフォン１がロック状態にある場合に表示される。スマートフォン１は、ディスプレイ２にロック画面４０が表示されている場合、特定の操作を除いて、ユーザの操作を受け付けない。特定の操作には、例えば、ロック状態を解除するための操作、及び通知画面をディスプレイ２に表示させるための操作が含まれる。ロック状態には、単に、ユーザの操作を受け付けない状態だけでなく、セキュリティロック状態を含んでもよい。図２に示す例では、ロック画面４０の上部に設けられている、いわゆるステータスバーに、メールの受信をユーザに通知するアイコン４０ａが表示されている。
【００４２】
続いて、スマートフォン１は、タッチスクリーン２１を介して、ステータスバーが表示されるロック画面４０の上側端部から下側端部へ向う操作を検出すると（ステップＳ１２）、ディスプレイ２に通知画面５０を表示させる（ステップＳ１３）。通知画面５０には、上記通知領域であるお知らせ表示領域５０ａと、付箋の作成画面を表示させるための操作バー５０ｂとが設けられる。
【００４３】
続いて、スマートフォン１は、タッチスクリーン２１を介して、操作バー５０ｂの付箋の追加ボタン（＋追加）に対する操作を検出すると（ステップＳ１４）、ディスプレイ２に付箋の作成画面６０ａを表示させる（ステップＳ１５）。作成画面６０ａには、入力された文字を表示する表示ウィンドウ、ユーザがタッチ操作で文字入力を行うためのソフトウェアキーボード、作成した文字を保存する保存ボタン、及び付箋の作成を中止するキャンセルボタンなどを有する。
【００４４】
作成画面６０ａ上で文字の入力が行われた後（ステップＳ１６）、スマートフォン１は、タッチスクリーン２１を介して、保存ボタンに対するタップを検出すると（ステップＳ１７）、作成画面６０ａ上で入力された文字を含む付箋５０ｃを貼り付けた通知画面５０をディスプレイ２に表示する（ステップＳ１８）。
【００４５】
図３は、ディスプレイ２に表示される通知画面にテキストを作成するときの制御の他の例を示す図である。図３は、図２に示す付箋が作成された後、さらに別の付箋が作成される例を示している。
【００４６】
図３に示すように、スマートフォン１は、付箋５０ｃが貼り付けられている通知画面５０を表示しているときに、タッチスクリーン２１を介して、操作バー５０ｂの付箋の追加ボタン（＋追加）に対する操作を検出すると（ステップＳ２１）、作成画面６０ａをディスプレイ２に表示させる（ステップＳ２２）。
【００４７】
作成画面６０ａ上で文字の入力が行われた後（ステップＳ２３）、スマートフォン１は、タッチスクリーン２１を介して、保存ボタンに対する操作を検出すると（ステップＳ２４）、作成画面６０ａ上で入力された文字を含む付箋５０ｄを、付箋５０ｃの下に貼り付けた通知画面５０をディスプレイ２に表示する（ステップＳ２５）。
【００４８】
図４は、通知画面に表示されている付箋を削除する制御の一例を示す図である。図４は、図３で作成された付箋を通知画面から削除する例を示している。
【００４９】
図４に示すように、スマートフォン１は、付箋５０ｃおよび付箋５０ｄが貼り付けられている通知画面５０を表示しているときに、タッチスクリーン２１を介して、付箋５０ｄに対する操作を検出すると（ステップＳ３１）、編集画面６０ｂをディスプレイ２に表示させる（ステップＳ３２）。
【００５０】
続いて、スマートフォン１は、タッチスクリーン２１を介して、削除ボタンに対する操作を検出すると（ステップＳ３３）、付箋５０ｄを削除した通知画面５０をディスプレイ２に表示する（ステップＳ３４）。
【００５１】
図５は、通知画面に表示されている付箋を更新する制御の一例を示す図である。図５は、図３で作成された付箋の内容を更新する例を示している。
【００５２】
図５に示すように、スマートフォン１は、付箋５０ｃおよび付箋５０ｄが貼り付けられている通知画面５０を表示しているときに、タッチスクリーン２１を介して、付箋５０ｄに対する操作を検出すると（ステップＳ４１）、編集画面６０ｂをディスプレイ２に表示させる（ステップＳ４２）。
【００５３】
編集画面６０ｂ上で文字の訂正が行われた後（ステップＳ４３）、スマートフォン１は、タッチスクリーン２１を介して、保存ボタンに対する操作を検出すると（ステップＳ４４）、内容が更新された付箋５０ｅと、付箋５０ｃとを貼り付けた通知画面５０をディスプレイ２に表示する（ステップＳ４５）。
【００５４】
図６及び図７を用いて、実施形態１に係るスマートフォン１による処理手順の一例を説明する。図６及び図７に示す処理手順は、コントローラ１０が、ストレージ９に記憶されている制御プログラム９Ａなどを実行することによって実現される。
【００５５】
図６は、ディスプレイ２に表示される通知画面にテキストを作成するときの処理手順を示すフローチャートである。
【００５６】
図６に示すように、コントローラ１０は、タッチスクリーン２１を介して、通知画面５０に表示される操作バー５０ｂの付箋の追加ボタン（＋追加）に対する操作を検出したかどうかを判定する（ステップＳ１０１）。付箋の追加ボタン（＋追加）に対する操作は、タッチ、タップあるいはスワイプなど、任意の操作であってよい。
【００５７】
コントローラ１０は、判定の結果、付箋の追加ボタン（＋追加）に対する操作を検出していない場合には（ステップＳ１０１、Ｎｏ）、図６に示す処理手順を進めることなく、終了する。
【００５８】
一方、コントローラ１０は、判定の結果、付箋の追加ボタン（＋追加）に対する操作を検出した場合には（ステップＳ１０１、Ｙｅｓ）、付箋の作成画面６０ａ（図２又は図３参照）をディスプレイ２に表示する（ステップＳ１０２）。
【００５９】
続いて、コントローラ１０は、文字入力以外のユーザの操作が検出されたかどうかを判定する（ステップＳ１０３）。
【００６０】
コントローラ１０は、判定の結果、文字入力以外のユーザの操作が検出されていない場合には（ステップＳ１０３、Ｎｏ）、所定のポーリング周期による次の判定タイミングの到達を契機として、再び、ステップＳ１０３の判定を実行する。
【００６１】
一方、コントローラ１０は、判定の結果、文字入力以外のユーザの操作が検出された場合には（ステップＳ１０３、Ｙｅｓ）、ユーザによる操作が、付箋の作成画面６０ａに設けられている保存ボタンに対する操作であるか否かを判定する（ステップＳ１０４）。保存ボタンに対する操作は、付箋の追加ボタン（＋追加）に対する操作と同様に、タッチ、タップあるいはスワイプなど、任意の操作であってよい。
【００６２】
コントローラ１０は、判定の結果、保存ボタンに対する操作である場合には（ステップＳ１０４、Ｙｅｓ）、付箋を貼り付けた通知画面５０をディスプレイ２に表示して（ステップＳ１０５）、図６に示す処理手順を終了する。
【００６３】
一方、コントローラ１０は、判定の結果、保存ボタンに対する操作ではない場合には（ステップＳ１０４、Ｎｏ）、キャンセルボタンに対する操作であるかどうかを判定する（ステップＳ１０６）。
【００６４】
コントローラ１０は、判定の結果、キャンセルボタンに対する操作である場合には（ステップＳ１０６、Ｙｅｓ）、付箋が貼り付けられていない元の通知画面５０をディスプレイ２に表示して（ステップＳ１０７）、図６に示す処理手順を終了する。
【００６５】
一方、コントローラ１０は、判定の結果、キャンセルボタンに対する操作ではない場合には（ステップＳ１０６、Ｎｏ）、ロック画面４０をディスプレイ２に表示して（ステップＳ１０８）、図６の処理手順を終了する。つまり、コントローラ１０は、ユーザによる操作が、保存ボタン及びキャンセルボタンに対する操作ではない場合には、例えば、付箋の作成に関連のない操作が行われたものと判断して、一旦、ロック画面４０に戻る趣旨である。
【００６６】
図７は、通知画面に表示されるテキストを編集するときの処理手順を示すフローチャートである。
【００６７】
図７に示すように、コントローラ１０は、タッチスクリーン２１を介して、通知画面５０に表示される付箋に対する操作を検出したかどうかを判定する（ステップＳ２０１）。付箋に対する操作は、タッチ、タップあるいはスワイプなど、任意の操作であってよい。
【００６８】
コントローラ１０は、判定の結果、付箋に対する操作を検出していない場合には（ステップＳ２０１、Ｎｏ）、図７に示す処理手順を進めることなく、終了する。
【００６９】
一方、コントローラ１０は、判定の結果、付箋に対する操作を検出した場合には（ステップＳ２０１、Ｙｅｓ）、付箋の編集画面６０ｂ（図４又は図５参照）をディスプレイ２に表示する（ステップＳ２０２）。
【００７０】
続いて、コントローラ１０は、文字入力以外のユーザの操作が検出されたかどうかを判定する（ステップＳ２０３）。
【００７１】
コントローラ１０は、判定の結果、文字入力以外のユーザの操作が検出されていない場合には（ステップＳ２０３、Ｎｏ）、所定のポーリング周期による次の判定タイミングの到達を契機として、再び、ステップＳ２０３の判定を実行する。
【００７２】
一方、コントローラ１０は、判定の結果、文字入力以外のユーザの操作が検出された場合には（ステップＳ２０３、Ｙｅｓ）、ユーザによる操作が、付箋の編集画面６０ｂに設けられている保存ボタンに対する操作であるか否かを判定する（ステップＳ２０４）。保存ボタンに対する操作は、タッチ、タップあるいはスワイプなど、任意の操作であってよい。
【００７３】
コントローラ１０は、判定の結果、保存ボタンに対する操作である場合には（ステップＳ２０４、Ｙｅｓ）、内容を更新した付箋を通知画面５０に表示して（ステップＳ２０５）、図７に示す処理手順を終了する。
【００７４】
一方、コントローラ１０は、判定の結果、保存ボタンに対する操作ではない場合には（ステップＳ２０４、Ｎｏ）、削除ボタンに対する操作であるかどうかを判定する（ステップＳ２０６）。
【００７５】
コントローラ１０は、判定の結果、削除ボタンに対する操作である場合には（ステップＳ２０６、Ｙｅｓ）、該当の付箋を削除した通知画面５０をディスプレイ２に表示して（ステップＳ２０７）、図７に示す処理手順を終了する。
【００７６】
一方、コントローラ１０は、判定の結果、削除ボタンに対する操作ではない場合には（ステップＳ２０６、Ｎｏ）、ロック画面４０をディスプレイ２に表示して（ステップＳ２０８）、図７の処理手順を終了する。つまり、コントローラ１０は、ユーザによる操作が、保存ボタン及び削除ボタンに対する操作ではない場合には、例えば、付箋の編集に関連のない操作が行われたものと判断して、一旦、ロック画面４０に戻る趣旨である。
【００７７】
上述してきたように、実施形態１において、スマートフォン１は、テキストデータである付箋を貼り付けた通知画面５０をディスプレイ２に表示する。このため、実施形態１によれば、ユーザ固有のユーティリティツールとして、通知画面５０を有効活用できる。
【００７８】
実施形態１において、スマートフォン１は、付箋の作成画面をディスプレイ２に表示する。このため、実施形態１によれば、ユーザは、タッチスクリーン２１を介した簡単な操作で、ディスプレイ２に表示するテキストを作成することができる。
【００７９】
実施形態１において、スマートフォン１は、付箋の編集画面をディスプレイ２に表示する。このため、実施形態１によれば、ユーザは、タッチスクリーン２１を介した簡単な操作で、ディスプレイ２に表示されているテキストを編集することができる。
【００８０】
実施形態１において、スマートフォン１は、ロック状態から上記作成画面または上記編集画面をディスプレイに表示させることができる。このため、実施形態１によれば、ユーザは、迅速に、テキストの作成または編集を行うことができる。
【００８１】
（実施形態２）
実施形態１において、アプリケーションの実行画面上で受け付けられる操作に応じて、付箋の作成画面を表示させるような制御を実行してもよい。
【００８２】
制御プログラム９Ａは、アプリケーションの実行画面上で受け付けられる操作に応じて、付箋の作成画面を表示させるための機能を提供する。例えば、制御プログラム９Ａは、文字入力アプリケーション９Ｄの実行画面上で受け付けられる操作に応じて、文字入力アプリケーション９Ｄにより入力された文字を引き継いだ状態の付箋の作成画面をディスプレイ２に表示させるための機能を提供するようにしてもよい。
【００８３】
コントローラ１０は、制御プログラム９Ａを実行することにより、アプリケーションの実行画面上で受け付けられる操作に応じて、付箋の作成画面を表示させる処理を実現する。例えば、コントローラ１０は、文字入力アプリケーション９Ｄの実行画面上で受け付けられる操作に応じて、文字入力アプリケーション９Ｄにより入力された文字を引き継いだ状態の付箋の作成画面をディスプレイ２に表示させる処理を実現する。
【００８４】
図８は、実行中の文字入力アプリケーション９Ｄから付箋の作成画面を表示させるときのスマートフォン１による制御の一例を示す図である。図８に登場するＦ１は、ユーザの指を示す。
【００８５】
図８に示すように、スマートフォン１は、ディスプレイ２にロック画面４０を表示している（ステップＳ５１）。ロック画面４０には、文字入力アプリケーション９Ｄをショートカット起動させるためのアイコン４０ｂが表示されている。
【００８６】
続いて、スマートフォン１は、タッチスクリーン２１を介して、ロック画面４０に表示されているアイコン４０ｂに対する操作を検出すると（ステップＳ５２）、ディスプレイ２に文字入力アプリケーション９Ｄの実行画面７０を表示させる（ステップＳ５３）。アイコン４０ｂに対する操作は、タップ、ダブルタップあるいはロングタッチなど、任意の操作でよい。実行画面７０には、入力された文字を表示するウィンドウ、文字入力を行うためのソフトウェアキーボード、文字入力アプリケーション９Ｄから直接起動可能なアプリケーションのアイコンなどが表示される。
【００８７】
続いて、実行画面７０にて文字入力が行われた後（ステップＳ５４）、スマートフォン１は、タッチスクリーン２１を介して、実行画面７０に表示された付箋アプリケーション９Ｅに対応するアイコン７０ａに対する操作を検出すると（ステップＳ５５）、文字入力アプリケーション９Ｄにより入力された文字を引き継いだ状態の付箋の作成画面６０ａを、ディスプレイ２に表示させる（ステップＳ５６）。アイコン７０ａに対する操作は、タップ、ダブルタップあるいはロングタッチなど、任意の操作でよい。
【００８８】
続いてスマートフォン１は、タッチスクリーン２１を介して、保存ボタンに対する操作を検出すると（ステップＳ５７）、作成画面６０ａ上で入力された文字を含む付箋５０ｆを貼り付けた通知画面５０をディスプレイ２に表示する（ステップＳ５８）。
【００８９】
図９を用いて、実施形態２に係るスマートフォン１による処理手順の一例を説明する。図９に示す処理手順は、コントローラ１０が、ストレージ９に記憶されている制御プログラム９Ａなどを実行することによって実現される。
【００９０】
図９は、実行中の文字入力アプリケーション９Ｄから付箋の作成画面を表示させるときの処理手順を示すフローチャートである。
【００９１】
図９に示すように、コントローラ１０は、タッチスクリーン２１を介して、ロック画面４０に表示されているアイコン４０ｂに対する操作を検出すると、文字入力アプリケーション９Ｄを実行する（ステップＳ３０１）。
【００９２】
続いて、コントローラ１０は、文字入力アプリケーション９Ｄの実行画面７０に表示された付箋アプリケーション９Ｅに対応するアイコン７０ａに対する操作の検出に応じて、付箋の作成画面６０ａをディスプレイ２に表示する（ステップＳ３０２）。ステップＳ３０２でディスプレイ２に表示される付箋の作成画面６０ａには、例えば、文字入力アプリケーション９Ｄにより入力された文字を引き継がれる（図８など参照）。
【００９３】
続いて、コントローラ１０は、文字入力以外のユーザの操作が検出されたかどうかを判定する（ステップＳ３０３）。
【００９４】
コントローラ１０は、判定の結果、文字入力以外のユーザの操作が検出されていない場合には（ステップＳ３０３、Ｎｏ）、所定のポーリング周期による次の判定タイミングの到達を契機として、再び、ステップＳ３０３の判定を実行する。
【００９５】
一方、コントローラ１０は、判定の結果、文字入力以外のユーザの操作が検出された場合には（ステップＳ３０３、Ｙｅｓ）、ユーザによる操作が、付箋の作成画面６０ａに設けられている保存ボタンに対する操作であるか否かを判定する（ステップＳ３０４）。保存ボタンに対する操作は、付箋の追加ボタン（＋追加）に対する操作と同様に、タッチ、タップあるいはスワイプなど、任意の操作であってよい。
【００９６】
コントローラ１０は、判定の結果、保存ボタンに対する操作である場合には（ステップＳ３０４、Ｙｅｓ）、付箋を貼り付けた通知画面５０をディスプレイ２に表示して（ステップＳ３０５）、図９に示す処理手順を終了する。
【００９７】
一方、コントローラ１０は、判定の結果、保存ボタンに対する操作ではない場合には（ステップＳ３０４、Ｎｏ）、キャンセルボタンに対する操作であるかどうかを判定する（ステップＳ３０６）。
【００９８】
コントローラ１０は、判定の結果、キャンセルボタンに対する操作である場合には（ステップＳ３０６、Ｙｅｓ）、付箋が貼り付けられていない通知画面５０をディスプレイ２に表示して（ステップＳ３０７）、図９に示す処理手順を終了する。
【００９９】
一方、コントローラ１０は、判定の結果、キャンセルボタンに対する操作ではない場合には（ステップＳ３０６、Ｎｏ）、ロック画面４０をディスプレイ２に表示して（ステップＳ３０８）、図９の処理手順を終了する。つまり、コントローラ１０は、ユーザによる操作が、保存ボタン及びキャンセルボタンに対する操作ではない場合には、例えば、付箋の作成に関連のない操作が行われたものと判断して、一旦、ロック画面４０に戻る趣旨である。
【０１００】
上述してきたように、実施形態２において、スマートフォン１は、文字入力アプリケーション９Ｄのアプリケーションの実行画面７０上で受け付けられる操作に応じて、文字入力アプリケーション９Ｄにより入力された文字を引き継いだ状態の付箋の作成画面をディスプレイ２に表示させる。このため、実施形態２によれば、文字入力アプリケーション９Ｄを用いて入力される文字を含むテキストを、文字アプリケーション９Ｄから直接ディスプレイ２に表示させることができる。
【０１０１】
実施形態２のように、実行中の文字入力アプリケーション９Ｄから付箋の作成画面を表示させる例に限定されない。例えば、ロック画面４０に付箋アプリケーション９Ｅのショートカットキー、あるいはアイコンなどを設けておき、ロック画面４０において付箋アプリケーション９Ｅのショートカットキーなどが操作されると、付箋の作成画面をディスプレイ２に表示するようにしてもよい。
【０１０２】
添付の請求項に係る技術を完全かつ明瞭に開示するために特徴的な実施形態に関し記載してきた。しかし、添付の請求項は、上記実施形態に限定されるべきものでなく、本明細書に示した基礎的事項の範囲内で当該技術分野の当業者が創作しうるすべての変形例及び代替可能な構成により具現化されるべきである。
【０１０３】
例えば、図１に示した各プログラムは、複数のモジュールに分割されていてもよい。あるいは、図１に示した各プログラムは、他のプログラムと結合されていてもよい。
【０１０４】
上記の実施形態では、タッチスクリーンを備える装置の一例として、スマートフォンについて説明したが、添付の請求項に係る装置は、スマートフォンに限定されない。添付の請求項に係る装置は、スマートフォン以外の電子機器であってもよい。電子機器は、例えば、モバイルフォン、タブレット、携帯型パソコン、デジタルカメラ、メディアプレイヤ、電子書籍リーダ、ナビゲータ、及びゲーム機である。あるいは、添付の請求項に係る装置は、据え置き型の電子機器であってもよい。据え置き型の電子機器は、例えば、デスクトップパソコン、及びテレビ受像器である。
【符号の説明】
【０１０５】
１  スマートフォン
２  ディスプレイ
３  ボタン
４  照度センサ
５  近接センサ
６  通信ユニット
７  レシーバ
８  マイク
９  ストレージ
９Ａ  制御プログラム
９Ｂ  通話アプリケーション
９Ｃ  メールアプリケーション
９Ｄ  文字入力アプリケーション
９Ｅ  付箋アプリケーション
９Ｚ  設定データ
１０  コントローラ
１１  スピーカ
１２  カメラ
１５  姿勢検出ユニット
１８  バイブレータ
２１  タッチスクリーン
【図１】
2014068240.tif 000003
【図２】
2014068240.tif 000004
【図３】
2014068240.tif 000005
【図４】
2014068240.tif 000006
【図５】
2014068240.tif 000007
【図６】
2014068240.tif 000008
【図７】
2014068240.tif 000009
【図８】
2014068240.tif 000010
【図９】
2014068240.tif 000011